(57)【要約】【課題】洗浄ブラシの操作を軽快に行えるようにし、先頭車両の前面を効率的に洗浄可能にする。【解決手段】長尺管１３の先端部に回転プロペラ２４付きの洗浄ブラシ１６を回転自在に取り付け、長尺管１３の先端部に、該長尺管内を通じて圧送された洗浄水を噴射する複数個の噴射ノズルを設け、噴射ノズルを、回転プロペラ２４が洗浄水の噴射圧力により回転する方向に向けて配置する。【選択図】図１
2005125966.tif 000002
【特許請求の範囲】
【請求項１】
作業者が把持操作する長尺管の先端部に回転可能に装着れる車体洗浄装置であって、
中心部に洗浄水を噴射する送水路を備えた円盤状の外周縁部に沿って刷毛体を植設し、回転自在に軸支してなる回転枠台を形成し、
該回転枠台と連通する前記長尺管を通じて圧送された洗浄水を円周方向に向けて噴射する複数個の噴射ノズルと、
前記回転枠台の円盤状内側面で前記噴射ノズルの先端と対向する位置に立設される回転プロペラとを備え、
前記噴射ノズルからの噴射圧力水で前記回転プロペラを押圧して回転枠台を回転させることを特徴とする車体洗浄装置。
【請求項２】
前記長尺管が、洗浄ブラシを三次元の空間内で自由移動させるクレーン装置に支持されていることを特徴とする請求項１に記載の車体洗浄装置。
【請求項３】
上下方向および左右方向に洗浄ブラシの向きが変えられるように、前記長尺管の一部が前記クレーン装置の長尺管保持部材に保持されていることを特徴とする請求項２に記載の車体洗浄装置。
【発明の詳細な説明】
【技術分野】
【０００１】
本発明は、新幹線車両や旅客車車両等における先頭車の前面を洗浄するのに使用する車体洗浄装置に関する。
【背景技術】
【０００２】
従来から、鉄道車両の側面洗浄は、車両を洗浄ブラシが設けられているトンネル内を通過させることにより行われていた。しかし、先頭車の前面は形状が複雑であるところから、人力によるブラシ洗浄が行われている（例えば、特許文献１、特許文献２参照）。
【特許文献１】実開平５−６７５６６号公報
【特許文献２】特開平４−３２５３５５号公報
【発明の開示】
【発明が解決しようとする課題】
【０００３】
しかしながら、従来の人力による車体洗浄作業は、先頭車が大型で、特に前面形状が複雑で面積が広いため、作業者は先端に洗浄ブラシを取り付けた長尺の把手を両手で支えて洗浄作業を行っており、この作業に熟練と、大きな労力を必要とする。また、回転羽根を持つ回転体に洗浄ブラシを設け、洗浄液を回転羽根に当てて洗浄ブラシを自動回転させながら洗浄を行う車体洗浄装置は、洗浄作業を効率化できるものの、把手の先端部重量が大きいために、その車体洗浄作業に多大な労力が必要になり、作業者の疲労も極めて大きくなるという問題があった。
【０００４】
本発明に係る車体洗浄装置は、このような従来の問題を解決するものであり、洗浄ブラシを先端部に有する把手である長尺管の操作を、熟練を要することなく軽快に行えるようにし、先頭車両の前面を効率的に洗浄可能にすることを目的とする。
【課題を解決するための手段】
【０００５】
前記目的達成のために、本発明の車体洗浄装置は、作業者が把持操作する長尺管の先端部に回転可能に装着れる車体洗浄装置であって、中心部に洗浄水を噴射する送水路を備えた円盤状の外周縁部に沿って刷毛体を植設し、回転自在に軸支してなる回転枠台を形成し、該回転枠台と連通する前記長尺管を通じて圧送された洗浄水を円周方向に向けて噴射する複数個の噴射ノズルと、前記回転枠台の円盤状内側面で前記噴射ノズルの先端と対向する位置に立設される回転プロペラとを備え、前記噴射ノズルからの噴射圧力水で前記回転プロペラを押圧して回転枠台を回転させることを特徴とする。
【０００６】
これにより、回転プロペラは洗浄水の噴射圧力を直接受けて、その押圧力で噴射方向に回転し、刷毛体の回転と共に洗浄水の洗浄作用と合わせて、洗浄ブラシにより先頭車の前面をブラシ洗浄する。このため洗浄ブラシを駆動するのに、回転羽根を持った回転体やモータなどの動力装置などを把手の一部（先端部）に別に設置する必要がなくなる。従って、長尺の把手（長尺管）自体の軽量化、構造の簡素化が図れるため、把手操作の労力を軽減でき、洗浄作業の効率化と装置コストの低減を実現することができる。
【０００７】
また、本発明の車体洗浄装置は、前記長尺管が、洗浄ブラシを三次元の空間内で自由移動させるクレーン装置に支持されていることを特徴とする。
【０００８】
これにより、クレーン装置のクレーン部材等に支持された長尺管の先端部は、クレーン装置の動く領域内で、三次元の空間内のいずれの方向へも自由に移動し、先頭車の前面のいずれの部位に対しても洗浄ブラシを十分に摺接可能にしている。また、人力によって操作される長尺管および洗浄ブラシの重量の殆どを前記クレーン装置が支承する。このため、長尺管を手で支えて操作する作業者には、作業上大きな負担はなく、従って、長尺管の操作がさらに軽快となる。
【０００９】
また、本発明の車体洗浄装置は、上下方向および左右方向に洗浄ブラシの向きが変えられるように、前記長尺管の一部が前記クレーン装置の長尺管保持部材に保持されていることを特徴とする。
【００１０】
これにより、クレーン装置で先頭車両前面の所定部位に位置決めされた洗浄ブラシを、その部位で向きを変えながら凹凸部における汚れを集中的に洗浄可能にしている。これにより先頭車両前面について全体的にむらのない洗浄を実現できる。
【発明の効果】
【００１１】
以上のように、本発明によれば作業者が把持操作する長尺管の先端部に回転プロペラ付きの洗浄ブラシを回転自在に取り付け、前記長尺管の先端部に、該長尺管内を通じて圧送された洗浄水を噴射する複数個の噴射ノズルを取り付け、前記噴射ノズルを、前記回転プロペラを洗浄水の噴射圧力により回転させる方向に向けて配置したことにより、長尺管に洗浄ブラシの動力手段や駆動部材を設ける必要がなくなり、従って一端を人力で支える長尺管の操作を大きな労力なく軽快に行うことができる。この結果、先頭車の洗浄を比較的離れた位置からでも、洗浄ブラシにより迅速、容易に行うことができる。
【００１２】
また、前記長尺管を、洗浄ブラシを三次元の空間内で自由移動させるクレーン装置に支持させているために、クレーン装置によって長尺管の支持力がアシストされ、従って、この長尺管を把持する作業者の負担を大幅に軽減することができる。
【００１３】
また、上下方向および左右方向に洗浄ブラシの向きが変えられるように、長尺管の一部をクレーン装置の長尺管保持部材に保持させることで、ブラシ本体を先頭車の前面の隅々に届くように、左右上下の各方向に回動可能にし、細部の洗浄効果を高めることができる。
【発明を実施するための最良の形態】
【００１４】
以下に、本発明の実施の形態を図について説明する。
図１は本発明の車体洗浄装置の全体を示す側面図、図２はこの車体洗浄装置の一部を示す平面図である。各図に示すように、この車体洗浄装置は、車両の走行レール１上を走行する車輪２を持った台車３を備えている。この台車３は手動操作によりまたは自動運転によって、走行レール１上を走行し、所定位置で停止する。
【００１５】
前記台車３上には、油圧シリンダやモータなどの駆動装置４を収納した支柱５が立設され、この支柱５に対して駆動装置４により上下駆動されるロッド６上には、上下２本の水平リンク７、８の各一端が自在継手部９を介して支持されている。また、これらの水平リンク７、８の各他端には、垂直方向に折れ曲った逆Ｌ字形のクレーン部材１１の一端が、自在継手部１０を介して水平回動可能に支持されている。
【００１６】
このクレーン部材１１の他端（下端）には取付部材１２が固定されており、この取付部材１２には握り杆としての長尺管１３を保持する長尺管保持部材１４が、水平軸１５を中心に回動可能に支持されている。この長尺管保持部材１４による長尺管１３の保持位置は、この長尺管１３端に取り付けられた洗浄ブラシ１６に近い位置付近である。長尺管保持部材１４は、長尺管１３を洗浄ブラシ１６の向きが上下左右に調整可能となるように保持している。
【００１７】
また、前記駆動装置４、支柱５、ロッド６、水平リンク７、８、クレーン部材１１、取付部材１２および長尺管保持部材１４は、クレーン装置Ａを構成している。図１において、斜線部Ｈは、前記クレーン装置Ａのクレーン部材１１下端部が上下方向に移動しうる領域、すなわち先頭車両前面を示し、この領域内のクレーン部材１１の移動によって洗浄ブラシ１６は先頭車両前面に接触しながら洗浄を行う。
【００１８】
一方、前記台車３上には、前記支柱４に隣り合うように洗浄水を貯溜した貯水タンクＴが取り付けられ、この貯水タンクＴ上には送水ポンプ１７が設置されている。この送水ポンプ１７には、一端が貯水タンク１６内の洗浄水中に浸漬された吸水管１８と、吸水管１８で吸水した洗浄水を送水ポンプ１７の外へ送出するための送水管１９の一端が連結されている。吸水管１８の吸水口には、車両の洗浄に障害となる小石などの雑物を除去するフィルタ２０が取り付けられている。なお、送水ポンプ１７による洗浄水の吐出圧力は、水道水の圧力に比べて十分に高い所定値に設計されている。
【００１９】
前記送水管１９の他端には、図示しないカプラーを介してゴムホース２１の一端が連結されている。一方、このゴムホース２１の他端側は、所定長に亘って前記長尺管１３に接続されている。前記ゴムホース２１としては耐水圧性が良好でしかもできるだけ柔軟で、可撓性があることが望ましい。
【００２０】
図３は、前記洗浄ブラシ１６の詳細を示す断面図である。図３において、前記長尺管１３の先端は、ノズル取付筺体２２の一側部に固定され、このノズル取付筺体２２の他側部には軸筒２３が貫通するように取り付けられている。この軸筒２３のノズル取付筺体２２内の端部は長尺管１３方向に開放されている。洗浄ブラシ１６は、洗浄作業のを効率的に行うために、その大きさは、外径が３００〜２００mmの幅で、好ましくは２５０mm、内径は１８０〜２２０mmの幅で、好ましくは２１０mm程度のものが好適である。
【００２１】
一方、前記軸筒２３のうちノズル取付筺体２２の外に突出する部位に、ベアリング２５を介して、回転体２６のボス部２７が回転自在に支持されている。この回転体２６は先端にリング状のブラシ保持板２８を有し、このブラシ保持板２８の周辺部に大小２枚の円筒板２８ｂ、２８ｃが取り付けられている。これらの円筒板２８ｂ、２８ｃ間には一定の厚みを持った短円筒形のブラシ本体２９がボルト・ナットなどの締結部材３０により、着脱可能に固定されている。このブラシ本体２９は動物性あるいは合成樹脂製の刷毛、スポンジ、織布或いはこれらの混合体などから成るもので、車両の表面に傷を付けない硬さの部材から構成されている。ここで、ブラシ本体２９のブラシの刷毛の長さは８０〜１５０mm程度の長さで、１００mm程度が好適である。また厚みは、１５〜４０mm程度の範囲で、２５mm前後が好適である。
【００２２】
軸筒２３の先端部は、図示のように、拡径部３１とされており、この拡径部３１はブラシ保持板２８のリング孔２８ａ内に干渉することなく臨んでいる。この拡径部３１内部には、複数本の洗浄液通孔３２が半径方向に向うように穿設されており、その各洗浄液通孔３２端は栓３３により塞がれている。これらの洗浄液通孔３２は軸筒２３の筒孔３４および長尺管１３内に連通している。
【００２３】
また、前記拡径部３１には、図４に示すように複数本、例えば３〜６本程度で、本発明では４本の噴射ノズル３５が取り付けられている。これらの噴射ノズル３５は各洗浄液通孔３２に連通し、かつ拡径部３１の端面（垂直面）に対して斜め向きに固定されている。さらに、これらの噴射ノズル３５のノズル端３５ａは、ブラシ保持板２８に取り付けられた複数本のＬ字形の回転プロペラ２８ａに図示のように向けられている。従って、噴射ノズル３５端から噴射される洗浄液を、回転プロペラ２８ａの内側面に対し斜め方向に当て、その噴射圧力を各回転プロペラ２８ａに順次受け止めさせてブラシ保持板２８に一定方向の回転力を付与するように機能する。このため、このブラシ本体２９を備えた回転体２６は軸筒２３の廻りに回転する。なお、前記長尺管１３、ノズル取付筺体２２、回転体２６のボス部２７やブラシ保持板２８は軽量の金属材料、例えばアルミニウムにより作られて、人力で洗浄ブラシ１６を操作するときの作業員の負担を軽減している。
【００２４】
次に前記構成になる車体洗浄装置の動作を説明する。
この車体洗浄装置によって、先頭車の前面を洗浄する場合には、まず、台車３の車輪２を走行レール１に沿って走らせ、台車３を先頭車前方の所定位置に停止させる。続いて、送水ポンプ１７を駆動させ、貯水タンクＴ内に貯溜された洗浄水を、フィルタ２０を介して吸水管１８で吸い上げる。こうして吸い上げた洗浄水は、さらに送水管１９、ゴムホース２１および長尺管１６を通じて軸筒２３の筒孔３４に送り込まれ、ここから複数本の洗浄液通孔３２へ分流する。
【００２５】
各洗浄液通路３２に分流した洗浄液は、各噴射ノズル３５内を通過して高圧状態で各回転プロペラ２４の内周面に図示のように向けて噴射される。このため、各回転プロペラ２４は洗浄液の噴射圧を回転方向に受け、回転体２６とともに軸筒２３の廻りに回転する。また、各噴射ノズル３５から噴射された洗浄液は、直接的にまたは回転プロペラ２４を介して間接的にブラシ本体２９を十分に濡らし、この洗浄液の一部が保持される。
【００２６】
そこで、清掃作業者は長尺管１３の基端部（図中、下部）を片手または両手で把持し、この長尺管１３の先端に支持された洗浄ブラシ１６が、先頭車前面の目的部位に位置するように長尺管１３を操作する。このとき、長尺管１３および洗浄ブラシ１６の重量の殆どがクレーン部材１１の下端部において、長尺管保持部材１４により支承されているため、前記操作に大きな労力を必要とすることはなく、軽快に行える。
【００２７】
一方、先頭車の前面は複雑な凹凸面を持つことから、長尺管１３をこれの中心軸の廻りに長尺管保持部材１４内で回転操作することにより、ブラシ本体２９を先頭車の前面に向って左右方向に向きを変えることができる。また、長尺管保持部材１４を取付部材１２に対し水平軸１５を中心に回動するように、長尺管１３を操作することで、ブラシ本体２９の向きを上下方向に変えることができる。これらの各操作は、長尺管１３に対するクレーン部材１１のアシストにより、軽快に行われる。
【００２８】
また、前記クレーン部材１１の基端（上端）は、自在継手部１０により水平回動自在となっており、先頭車の前面に対して大きな範囲でブラシ本体２９を左右方向に移動可能にしている。さらに、前記継手１０部分は、自在継手９によって上下方向に回動する水平リンク７、８に支持されている。これによりブラシ本体２９はクレーン部材１１とともに上下方向に移動可能となっている。また、自在継手部９を取り付けているロッド６は支柱５に対し昇降自在および水平回転自在となっている。これにより、ブラシ本体２９はクレーン部材１１および水平リンク７、８とともに十分なストロークで上下方向に移動可能となる。
【００２９】
この結果、クレーン部材１１のうち洗浄ブラシ１６を取り付けた部位が、図１中で斜線で表した領域Ｈ内で自由に移動可能となり、先頭車の前面の広い領域に亘ってブラシ本体２９を所望の向きで接触させることができる。この結果、複雑な形状や凹凸面もくまなく洗浄することができる。
【産業上の利用可能性】
【００３０】
本発明は、長尺管の先端に取付けられた洗浄ブラシを回転させて、長尺管を操作して、車両の先頭部を洗浄するものであるが、先頭車の前面の清掃だけでなく、車両の側面の清掃にも使用することは可能である。
【図面の簡単な説明】
【００３１】
【図１】本発明の実施の一形態による車体洗浄装置を示す正面図。
【図２】図１に示す車体洗浄装置の一部の平面図。
【図３】図１に示す洗浄ブラシの詳細な拡大断面図である。
【図４】図３に示す洗浄ブラシの側面図である。
【符号の説明】
【００３２】
Ａ…クレーン装置
１３…長尺管（握り杆）
１６…洗浄ブラシ
２４…回転プロペラ
３５…噴射ノズル
【図１】
2005125966.tif 000003
【図２】
2005125966.tif 000004
【図３】
2005125966.tif 000005
【図４】
2005125966.tif 000006